【手続補正書】
【提出日】平成26年3月17日(2014.3.17)
【手続補正１】
【補正対象書類名】特許請求の範囲
【補正対象項目名】全文
【補正方法】変更
【補正の内容】
【特許請求の範囲】
【請求項１】
マイクとスピーカが同一筺体内において近接して配置された音声記録再生装置において、
録音動作中の音声入力を電気的な音声信号に変換する音声入力手段と、
上記音声信号を増幅する増幅手段と、
上記増幅手段によって増幅された音声信号を量子化データに変換する量子化手段と、
上記量子化データのハウリングの有無を検出するハウリング検出手段と、
上記量子化データを符号化データに変換する符号化手段と、
上記符号化データを記憶する記憶手段と、
上記ハウリング検出手段が上記量子化データにハウリングが生じていることを検出したときにはハウリング抑制加工を行う量子化データ加工手段と、
上記量子化データ加工手段によるハウリング抑制加工済みの量子化データを録音モニタ用音声信号に変換する逆量子化手段と、
上記録音モニタ用音声信号を増幅するモニタ音声増幅手段と、
上記録音モニタ用音声信号を音声に変換する音声出力手段と、
を具備することを特徴とする音声処理装置。
【請求項２】
録音モニタオン時は、量子化データをハウリング抑制加工前と加工後に区別し、ハウリング抑制加工前の量子化データを符号化およびその符号化データを音声データとしてメモリに記憶することを特徴とする請求項１に記載の音声処理装置。
【請求項３】
録音モニタオン時の音声出力手段への音声出力は、ハウリング抑制加工後の量子化データを用いることを特徴とする請求項１に記載の音声処理装置。
【請求項４】
録音動作中の録音モニタオンまたはオフに同期して、ハウリング抑制加工および音声出力手段への音声出力を許可または禁止することを特徴とする請求項１に記載の音声処理装置。
【請求項５】
マイクとスピーカが同一筺体内において近接して配置された音声記録再生装置における音声処理方法において、
録音動作中の音声入力を電気的な音声信号に変換する音声入力ステップと、
上記音声信号を増幅する増幅ステップと、
上記増幅ステップによって増幅された音声信号を量子化データに変換する量子化ステップと、
上記量子化データのハウリングの有無を検出するハウリング検出ステップと、
上記量子化データを符号化データに変換する符号化ステップと、
上記符号化データを記憶する記憶ステップと、
上記ハウリング検出ステップにおいて上記量子化データにハウリングが生じていることを検出したときにはハウリング抑制加工を行う量子化データ加工ステップと、
上記量子化データ加工ステップによるハウリング抑制加工済みの量子化データを録音モニタ用音声信号に変換する逆量子化ステップと、
上記録音モニタ用音声信号を増幅するモニタ音声増幅ステップと、
上記録音モニタ用音声信号を音声に変換する音声出力ステップと、
を具備することを特徴とする音声処理方法。
【請求項６】
マイクとスピーカが同一筺体内において近接して配置された音声記録再生装置のコンピュータを実行させるプログラムにおいて、
録音動作中の音声入力を電気的な音声信号に変換する音声入力ステップと、
上記音声信号を増幅する増幅ステップと、
上記増幅ステップによって増幅された音声信号を量子化データに変換する量子化ステップと、
上記量子化データのハウリングの有無を検出するハウリング検出ステップと、
上記量子化データを符号化データに変換する符号化ステップと、
上記符号化データを記憶する記憶ステップと、
上記ハウリング検出ステップにおいて上記量子化データにハウリングが生じていることを検出したときにはハウリング抑制加工を行う量子化データ加工ステップと、
上記量子化データ加工ステップによるハウリング抑制加工済みの量子化データを録音モニタ用音声信号に変換する逆量子化ステップと、
上記録音モニタ用音声信号を増幅するモニタ音声増幅ステップと、
上記録音モニタ用音声信号を音声に変換する音声出力ステップと、
をコンピュータに実行させることを特徴とするプログラム。
【手続補正２】
【補正対象書類名】明細書
【補正対象項目名】発明の名称
【補正方法】変更
【補正の内容】
【発明の名称】音声処理装置、音声処理方法、およびプログラム
【手続補正３】
【補正対象書類名】明細書
【補正対象項目名】０００１
【補正方法】変更
【補正の内容】
【０００１】
本発明は、マイクとスピーカが近接している場合に生ずるハウリングを防止するようにした音声処理装置、音声処理方法、およびプログラムに関する。
【手続補正４】
【補正対象書類名】明細書
【補正対象項目名】０００８
【補正方法】変更
【補正の内容】
【０００８】
本発明は、このような事情を鑑みてなされたものであり、録音動作中のモニタ確認の使い勝手がよく、音声等の録音対象の録音品質を最適化することが可能な音声処理装置、音声処理方法、およびプログラムを提供することを目的とする。
【手続補正５】
【補正対象書類名】明細書
【補正対象項目名】０００９
【補正方法】変更
【補正の内容】
【０００９】
上記目的を達成するため第１の発明に係わる音声記録再生装置は、マイクとスピーカが同一筺体内において近接して配置された音声記録再生装置において、録音動作中の音声入力を電気的な音声信号に変換する音声入力手段と、上記音声信号を増幅する増幅手段と、上記増幅手段によって増幅された音声信号を量子化データに変換する量子化手段と、上記量子化データのハウリングの有無を検出するハウリング検出手段と、上記量子化データを符号化データに変換する符号化手段と、上記符号化データを記憶する記憶手段と、上記ハウリング検出手段が上記量子化データにハウリングが生じていることを検出したときにはハウリング抑制加工を行う量子化データ加工手段と、上記量子化データ加工手段によるハウリング抑制加工済みの量子化データを録音モニタ用音声信号に変換する逆量子化手段と、上記録音モニタ用音声信号を増幅するモニタ音声増幅手段と、上記録音モニタ用音声信号を音声に変換する音声出力手段と、を具備する。
【手続補正６】
【補正対象書類名】明細書
【補正対象項目名】００１０
【補正方法】変更
【補正の内容】
【００１０】
第２の発明に係わる音声処理装置は、上記第１の発明において、録音モニタオン時は、量子化データをハウリング抑制加工前と加工後に区別し、ハウリング抑制加工前の量子化データを符号化およびその符号化データを音声データとしてメモリに記憶する。
【手続補正７】
【補正対象書類名】明細書
【補正対象項目名】００１１
【補正方法】変更
【補正の内容】
【００１１】
第３の発明に係わる音声処理装置は、上記第１の発明において、録音モニタオン時の音声出力手段への音声出力は、ハウリング抑制加工後の量子化データを用いる。
第４の発明に係わる音声処理装置は、上記第１の発明において、録音動作中の録音モニタオンまたはオフに同期して、ハウリング抑制加工および音声出力手段への音声出力を許可または禁止する。
第５の発明に係わる音声処理方法は、マイクとスピーカが同一筺体内において近接して配置された音声記録再生装置における音声処理方法において、録音動作中の音声入力を電気的な音声信号に変換する音声入力ステップと、上記音声信号を増幅する増幅ステップと、上記増幅ステップによって増幅された音声信号を量子化データに変換する量子化ステップと、上記量子化データのハウリングの有無を検出するハウリング検出ステップと、上記量子化データを符号化データに変換する符号化ステップと、上記符号化データを記憶する記憶ステップと、上記ハウリング検出ステップにおいて上記量子化データにハウリングが生じていることを検出したときにはハウリング抑制加工を行う量子化データ加工ステップと、上記量子化データ加工ステップによるハウリング抑制加工済みの量子化データを録音モニタ用音声信号に変換する逆量子化ステップと、上記録音モニタ用音声信号を増幅するモニタ音声増幅ステップと、上記録音モニタ用音声信号を音声に変換する音声出力ステップと、を具備する。
第６の発明に係わるプログラムは、マイクとスピーカが同一筺体内において近接して配置された音声記録再生装置のコンピュータを実行させるプログラムにおいて、録音動作中の音声入力を電気的な音声信号に変換する音声入力ステップと、上記音声信号を増幅する増幅ステップと、上記増幅ステップによって増幅された音声信号を量子化データに変換する量子化ステップと、上記量子化データのハウリングの有無を検出するハウリング検出ステップと、上記量子化データを符号化データに変換する符号化ステップと、上記符号化データを記憶する記憶ステップと、上記ハウリング検出ステップにおいて上記量子化データにハウリングが生じていることを検出したときにはハウリング抑制加工を行う量子化データ加工ステップと、上記量子化データ加工ステップによるハウリング抑制加工済みの量子化データを録音モニタ用音声信号に変換する逆量子化ステップと、上記録音モニタ用音声信号を増幅するモニタ音声増幅ステップと、上記録音モニタ用音声信号を音声に変換する音声出力ステップと、をコンピュータに実行させる。
【手続補正８】
【補正対象書類名】明細書
【補正対象項目名】００１２
【補正方法】変更
【補正の内容】
【００１２】
本発明によれば、録音動作中のモニタ確認の使い勝手がよく、音声等の録音対象の録音品質を最適化することが可能な音声処理装置、音声処理方法、およびプログラムを提供することができる。